(57)【要約】【課題】自動車の音響や空調機器等の操作に用いられる照光装置に関し、簡易な構成で、表示の視認が行い易いものを提供することを目的とする。【解決手段】外周が不透光性の被覆部１１Ｂで覆われ、上面に透光性の表示部１１Ｃが形成された操作体１１の下端外周に、内方への傾斜部１１Ｄを設けて照光装置を構成することによって、操作体１１内周の透光部１１Ａの底面１１Ｇの露出面積が小さくなり、カバー３と操作体１１の隙間からの光もれが少なくなるため、簡易な構成で、操作体１１の表示の視認が行い易い照光装置を得ることができる。【選択図】図１
2005285736.tif 000002
【特許請求の範囲】
【請求項１】
外周が不透光性の被覆部で覆われると共に、上面または側面に透光性の表示部が形成された操作体と、この操作体内周を中空筒部に上下動可能に装着したケースと、このケースを覆い上面の開口孔から上記操作体が突出したカバーと、前記操作体内周を照光する発光素子からなり、上記操作体の下端外周または内周の少なくとも一方に、内方または外方への傾斜部を設けた照光装置。
【請求項２】
操作体の下端外周を外方へ延出させた請求項１記載の照光装置。
【発明の詳細な説明】
【技術分野】
【０００１】
本発明は、主に自動車の音響や空調機器等の操作に用いられる照光装置に関するものである。
【背景技術】
【０００２】
近年、車室内のフロントパネル部に、複数の押圧または回転操作型電子部品を備えた照光装置を配置し、夜間でもオーディオやエアコン等の各種電子機器の操作を行い易くしたものが増えている。
【０００３】
このような従来の照光装置について、図５を用いて説明する。
【０００４】
図５は従来の照光装置の断面図であり、同図において、１は絶縁樹脂製の操作体で、透明または乳白色等の透光部１Ａの外周全面が塗装等によって、黒色や暗灰色等の不透光性の被覆部１Ｂで覆われると共に、上面には透光部１Ａが露出した、文字や記号等の形状で透光性の表示部１Ｃが形成されている。
【０００５】
また、２は絶縁樹脂製のケース、３は同じく絶縁樹脂製のカバーで、ケース２中間部には上方へ突出する中空筒部２Ａが設けられ、この中空筒部２Ａに操作体１内周が上下動可能に装着されると共に、ケース２上面をカバー３が覆い、カバー３上面の開口孔３Ａから操作体１が上方へ突出している。
【０００６】
そして、４は上下面に複数の導電パターン（図示せず）が形成された配線基板で、上面にはプッシュスイッチ５が実装され、このプッシュスイッチ５の操作部５Ａに、操作体１下面から下方へ突出した押圧部１Ｄが当接している。
【０００７】
さらに、この配線基板４にはコネクタ６や他の電子部品（図示せず）が実装されると共に、プッシュスイッチ５側方には、発光ダイオード等の発光素子７が実装されて照光装置が構成されている。
【０００８】
そして、このような照光装置は車室内のフロントパネル部に装着され、プッシュスイッチ５や発光素子７等がコネクタ６を介して、オーディオやエアコン等の各種電子機器や、自動車の電子回路（図示せず）に電気的に接続される。
【０００９】
以上の構成において、操作体１を下方へ押圧操作すると、押圧部１Ｄが操作部５Ａを押圧して、プッシュスイッチ５が電気的に動作し、例えば、オーディオの音量やエアコンの温度等の切換えが行われる。
【００１０】
また、この時、発光素子７が発光し、この光が操作体１の透光部１Ａ全体を照光して、文字や記号等の形状で透光性の表示部１Ｃが照光されるため、夜間等の周囲が暗い場合でも、表示部１Ｃの表示や、操作体１の位置が確認し易いように構成されているものであった。
【００１１】
なお、この出願の発明に関連する先行技術文献情報としては、例えば、特許文献１が知られている。
【特許文献１】特開２００１−２８３６７３号公報
【発明の開示】
【発明が解決しようとする課題】
【００１２】
しかしながら、上記従来の照光装置においては、発光素子７を発光させ操作体１内周の透光部１Ａ全体を照光した際、図５の矢印で示すように、透光部１Ａの底面１Ｅからの光がケース２等に反射し、この光がカバー３の開口孔３Ａと操作体１の隙間から外へもれてしまうため、表示部１Ｃの表示等が見づらくなるという課題があった。
【００１３】
本発明は、このような従来の課題を解決するものであり、簡易な構成で、操作体の表示が視認し易い照光装置を提供することを目的とする。
【課題を解決するための手段】
【００１４】
上記目的を達成するために本発明は、以下の構成を有するものである。
【００１５】
本発明の請求項１に記載の発明は、外周が不透光性の被覆部で覆われ、上面または側面に透光性の表示部が形成された操作体の、下端外周または内周の少なくとも一方に、内方または外方への傾斜部を設けて照光装置を構成したものであり、操作体の透光部底面の露出面積が小さくなり、カバーと操作体の隙間からの光もれが少なくなるため、簡易な構成で、操作体の表示の視認が行い易い照光装置を得ることができるという作用を有する。
【００１６】
請求項２に記載の発明は、請求項１記載の発明において、操作体の下端外周を外方へ延出させたものであり、外方へ延出した庇部によってカバーと操作体の隙間を覆うことができるため、さらに光もれを少なくすることができるという作用を有する。
【発明の効果】
【００１７】
以上のように本発明によれば、簡易な構成で、表示の視認が行い易い照光装置を実現することができるという有利な効果が得られる。
【発明を実施するための最良の形態】
【００１８】
以下、本発明の実施の形態について、図１〜図４を用いて説明する。
【００１９】
なお、背景技術の項で説明した構成と同一構成の部分には同一符号を付して、詳細な説明を簡略化する。
【００２０】
（実施の形態）
図１は本発明の一実施の形態による照光装置の断面図、図２は同分解斜視図であり、同図において、１１はアクリルまたはポリカーボネート等の絶縁樹脂製の操作体で、透明または乳白色等の透光部１１Ａの外周全面が、塗装や二色成形等によって、黒色や暗灰色等の不透光性の被覆部１１Ｂで覆われている。
【００２１】
そして、この上面には透光部１１Ａが露出した、文字や記号等の形状で透光性の表示部１１Ｃが形成されると共に、操作体１１の下端外周には、内方への傾斜部１１Ｄが設けられ、透光部１１Ａの底面１１Ｇの露出面積が小さく形成されている。
【００２２】
また、２はポリオキシメチレン等の絶縁樹脂製のケース、３はＡＢＳやポリカーボネート等の絶縁樹脂製のカバーで、ケース２中間部には上方へ突出する中空筒部２Ａが設けられ、この中空筒部２Ａに操作体１１内周が上下動可能に装着されると共に、ケース２上面をカバー３が覆い、カバー３上面の開口孔３Ａから操作体１１が上方へ突出している。
【００２３】
そして、４は紙フェノールやガラス入りエポキシ等の配線基板で、この上下面には銅箔等によって複数の導電パターン（図示せず）が形成されると共に、上面にはプッシュスイッチ５が実装され、このプッシュスイッチ５の操作部５Ａに、操作体１１下面から下方へ突出した押圧部１１Ｅが当接している。
【００２４】
さらに、配線基板４にはコネクタ６や他の電子部品（図示せず）が実装されると共に、プッシュスイッチ５側方には、発光ダイオード等の発光素子７が実装され、この配線基板４がねじ９等によってケース２に固定されて、照光装置が構成されている。
【００２５】
そして、このような照光装置は車室内のフロントパネル部に装着され、プッシュスイッチ５や発光素子７等がコネクタ６を介して、オーディオやエアコン等の各種電子機器や、自動車の電子回路（図示せず）に電気的に接続される。
【００２６】
以上の構成において、操作体１１を下方へ押圧操作すると、押圧部１１Ｅが操作部５Ａを押圧して、プッシュスイッチ５が電気的に動作し、例えば、オーディオの音量やエアコンの温度等の切換えが行われる。
【００２７】
また、発光素子７が発光し、この光が操作体１１の透光部１１Ａ全体を照光して、文字や記号等の形状で透光性の表示部１１Ｃが照光されるため、夜間等の周囲が暗い場合でも、表示部１１Ｃの表示内容や、操作体１１の位置の確認を容易に行うことができる。
【００２８】
そして、この時、操作体１１の下端外周には、内方への傾斜部１１Ｄが設けられ、透光部１１Ａの底面１１Ｇの露出面積が小さく形成されているため、発光素子７によって操作体１１内周の透光部１１Ａ全体が照光された際、透光部１１Ａの底面１１Ｇからもれてケース２等に反射する光が少なくなり、カバー３の開口孔３Ａと操作体１１の隙間から外へもれる光も少なくなるように構成されている。
【００２９】
このように本実施の形態によれば、外周が不透光性の被覆部１１Ｂで覆われ、上面に透光性の表示部１１Ｃが形成された操作体１１の下端外周に、内方への傾斜部１１Ｄを設けて照光装置を構成することによって、操作体１１内周の透光部１１Ａの底面１１Ｇの露出面積が小さくなり、カバー３と操作体１１の隙間からの光もれが少なくなるため、簡易な構成で、操作体１１の表示の視認が行い易い照光装置を得ることができるものである。
【００３０】
また、図３の断面図に示すように、操作体１１の下端外周を外方へ延出させ、外方へ延出した庇部１１Ｆを設けることによって、この庇部１１Ｆでカバー３の開口孔３Ａと操作体１１の隙間を下から覆うことができるため、さらに光もれを少なくすることが可能となる。
【００３１】
なお、以上の説明では、操作体１１の下端外周に内方への傾斜部１１Ｄを設けた構成について説明したが、図４の断面図に示すように、透光部１２Ａの外周全面が被覆部１２Ｂで覆われ、上面に表示部１２Ｃが形成された操作体１２の下端内周に、外方への傾斜部１２Ｄを設け、透光部１２Ａの底面１２Ｇの露出面積を小さくすることによって、光もれを少なくした構成としても、本発明の実施は可能である。
【００３２】
また、この場合、傾斜部１２Ｄの面を高光沢にしたり、傾斜部１２Ｄの傾斜角度θを所定の角度、例えば透光部１２Ａが透明な場合には、光が全反射する角度の臨界角度である約４２度以上に形成することによって、透光部１２Ａ内の光が傾斜部１２Ｄで反射され易くなるため、より光もれの少ないものにすることができる。
【００３３】
さらに、以上の説明のように、操作体１１の下端外周に内方への傾斜部１１Ｄを設けたり、操作体１２の下端内周に外方への傾斜部１２Ｄを設けるほか、操作体１１や１２の下端外周と内周の両方に、各々内方と外方への傾斜部を設けて、透光部１１Ａや１２Ａの底面の露出面積を小さくするようにしても、本発明の実施は可能である。
【００３４】
なお、以上の説明では、操作体１１や１２の上面に透光性の表示部１１Ｃや１２Ｃが形成された構成について説明したが、表示部１１Ｃや１２Ｃを操作体１１や１２の側面に形成した構成としてもよい。
【００３５】
さらに、配線基板４に実装されたプッシュスイッチ５を、操作体１１や１２によって押圧操作する構成として説明したが、この他にも様々な構成の押圧操作型のスイッチにおいて本発明の実施は可能であり、さらに回転操作型のスイッチや可変抵抗器等においても実施が可能である。
【産業上の利用可能性】
【００３６】
本発明による照光装置は、簡易な構成で、表示の視認が行い易いものを実現することができ、主に自動車の音響や空調機器等の操作に用いられる照光装置等に有用である。
【図面の簡単な説明】
【００３７】
【図１】本発明の一実施の形態による照光装置の断面図
【図２】同分解斜視図
【図３】同他の実施の形態による断面図
【図４】同他の実施の形態による断面図
【図５】従来の照光装置の断面図
【符号の説明】
【００３８】
２  ケース
２Ａ  中空筒部
３  カバー
３Ａ  開口孔
４  配線基板
５  プッシュスイッチ
５Ａ  操作部
６  コネクタ
７  発光素子
９  ねじ
１１、１２  操作体
１１Ａ、１２Ａ  透光部
１１Ｂ、１２Ｂ  被覆部
１１Ｃ、１２Ｃ  表示部
１１Ｄ、１２Ｄ  傾斜部
１１Ｅ  押圧部
１１Ｆ  庇部
１１Ｇ、１２Ｇ  底面
【図１】
2005285736.tif 000003
【図２】
2005285736.tif 000004
【図３】
2005285736.tif 000005
【図４】
2005285736.tif 000006
【図５】
2005285736.tif 000007